(57)【要約】【課題】  つる性植物の這い上がり防止装置を、電柱の支線に確実に取り付け保持する。【解決手段】  つる性植物の這い上がり防止装置５０を支線１に取り付けて保持させる取付保持コイル１０であって、バネ線材が所定の長さ間隔で所定曲げ角で長手方向に順次折り曲げられ、長手方向に多角の螺旋形状の辺部が連続するコイル部１５を有する。コイル部１５を螺旋形状の各辺部の一部が支線１に密着するように弾性変形させて巻き付けることで、這い上がり防止装置５０を支線１に取り付け保持させる。【選択図】  図１
2020016009.tif 000002
【特許請求の範囲】
【請求項１】
保持対象物を索条体に取り付けて保持させる索条体用取付保持具であって、
バネ線材が所定の長さ間隔で所定曲げ角で長手方向に順次折り曲げられ、長手方向に多角の螺旋形状の辺部が連続するコイル部を有し、該コイル部を前記螺旋形状の各辺部の一部が前記索条体に密着するように弾性変形させて巻き付けて、前記保持対象物を前記索条体に取り付け保持させることを特徴とする索条体用取付保持具。
【請求項２】
前記バネ線材の端部を折り曲げて形成され、前記保持対象物と前記索条体とに係止可能なフックが前記コイル部の端部に形成された請求項１に記載の索条体用取付保持具。
【請求項３】
前記多角の螺旋形状の辺部は、前記コイル部の端部から端面視して略正三角形状をなす請求項１に記載の索条体用取付保持具。
【請求項４】
前記保持対象物は、つる性植物の這い上がり防止装置で、前記索条体は電柱の支線である請求項１に記載の索条体用取付保持具。
【発明の詳細な説明】
【技術分野】
【０００１】
本発明は、電柱を支持する支線に沿ってつる性植物が這い上がるのを防止する這い上がり防止装置を、支線に確実に取り付け保持させるための索条体用取付保持具に関する。
【背景技術】
【０００２】
出願人は、地面上に立設された電柱等の構造体を支持する支線に沿ってつる性植物が這い上がることを防止する這い上がり防止装置を共同で完成し、出願している（特許文献１）。このつる性植物の這い上がり防止装置は、地面と電柱との間に張設される支線として機能する索条体（たとえば、具体的には鋼撚り線ワイヤーロープ等が用いられる。）の長手方向の中途部を覆うよう、索条体の中途部に取り付けられる筒形状の被覆体を備える。被覆体の軸心周りの一部に切割りを形成し、切割りを通し被覆体の内部に索条体の中途部を挿入するようにしている。
【０００３】
また、簡易な構造でつる性植物の這い上がりを防止する装置として電柱支線用かずら巻き防止具も提案されている（特許文献２）。このかずら巻き防止具は、板状の板羽と支線装着用筒とを一体成形してなる合成樹脂の押し出し成形品で、支線装着用筒部分を支線に沿って嵌めるようにして用いられる。
【先行技術文献】
【特許文献】
【０００４】
【特許文献１】特開２０１４−２１７３０１号公報
【特許文献２】実用新案登録第３１２３７９５号公報
【発明の概要】
【発明が解決しようとする課題】
【０００５】
特許文献１に開示した這い上がり防止装置では、支線の索条体への取り付け作業を容易にし、また確実に支持するために、所定直径の筒形状の被覆体の軸方向全体にわたって切割りを形成し、切り割り内に索条体を挿入し、索条体の中途部の２箇所を、３箇所の突起の先端に形成された舌片を有する支持体と、その周囲から索条体に向かった締め付け力を付与可能な圧接体とで圧接保持している。これにより這い上がり防止装置を索条体へ容易かつ確実に取り付け保持できる。しかし、これらの支持体、圧接体は被覆体の一部に組み込まれる複数の部品構成からなるため、製造コストがかかるという問題がある。
【０００６】
また、特許文献２に開示したかずら巻き防止具は合成樹脂の一体成形品であるため、所定内径に成形された支線装着用筒にきつめに嵌まるような線径の支線（索条体）でないと保持力が得られない。
【０００７】
そこで、本発明の目的は上述した従来の技術が有する問題点を解消し、電柱を支持する各種線径からなる支線（索条体）に這い上がり防止装置を、簡単、確実に取り付けて保持できるようにした索条体用取付保持具を提供することにある。
【課題を解決するための手段】
【０００８】
上記目的を達成するために、本発明は、保持対象物を索条体に取り付けて保持させる索条体用取付保持具であって、バネ線材が所定の長さ間隔で所定曲げ角で長手方向に順次折り曲げられた、長手方向に多角の螺旋形状の辺部が連続するコイル部を有し、該コイル部を、前記螺旋形状の辺部の一部が前記索条体に密着するように弾性変形させて巻き付けて、前記保持対象物を前記索条体に取り付け保持させることを特徴とする。
【０００９】
前記バネ線材の端部を折り曲げて形成され、前記保持対象物と前記索条体とに係止可能なフックが前記コイル部の端部に形成されることが好ましい。
【００１０】
前記多角の螺旋形状の辺部は、前記コイル部の端部から端面視して略正三角形状をなすことが好ましい。
【００１１】
前記保持対象物は、つる性植物の這い上がり防止装置で、前記索条体は電柱の支線であることが好ましい。
【図面の簡単な説明】
【００１２】
【図１】本発明の索条体用取付保持具の一実施形態によって這い上がり防止装置を電柱の支線（索条体）に固定保持させた状態を示した斜視図。
【図２】這い上がり防止装置を電柱の支線（索条体）に連結、固定保持した状態を部分的に示した部分拡大図。
【図３】本発明の索条体用取付保持具の一構成および索条体への取り付け形態例および一般的な螺旋状取付保持具とを対比して示した説明図。
【図４】本発明の索条体用取付保持具の各部の形状、全体構成を説明した正面図、側面図、部分端面図、平面図。
【発明を実施するための形態】
【００１３】
以下、本発明の索条体用取付保持具の一実施形態について、這い上がり防止装置の固定支持への使用態様と構成例について添付図面を参照して説明する。
【００１４】
図１（ａ）、（ｂ）は、図示しない電柱の支線としての索条体１に這い上がり防止装置５０を取り付け保持のために用いられている、本発明の索条体用取付保持具１０の一実施形態を示している。この索条体用取付保持具１０を介して索条体１に支持される這い上がり防止装置５０の構成について、図１各図を参照して説明する。
【００１５】
這い上がり防止装置５０は、保形部材（後述する。）で周辺部が補強された、合成繊維メッシュシート製のシート本体５１とカバーシート５５とを主構成とした旗状部からなる。シート本体５１は、その長辺、短辺の周縁に沿って、後述する保形部材６０を保持するように袋状に縫製され、細長い旗形状が保持されるようになっている。シート本体５１は、索条体用取付保持具１０および後述する複数個の連結フック２０を介して索条体１に吊り下げ支持されるが、シート本体５１の索条体１への取り付け部分を覆うようにシート本体５１の長辺上端に沿ってカバーシート５５の長辺が縫着されている。このカバーシート５５は、その長辺および短辺に沿って面ファスナー５６が、またシート本体５１側にはこの面ファスナー５６と相対して面接着可能な面ファスナー５７が取り付けられている。よって、本実施形態の這い上がり防止装置５０では、カバーシート５５を長手方向に延びる索条体１に沿って折り曲げて周辺部を面ファスナー５６，５７で面接着することにより、袋状となったカバーシート５５によって索条体１および這い上がり防止装置５０の上辺部分を覆う。これにより、索条体１とシート本体５１と間の隙間をつる性植物が巻き上がるのを防止する（図１（ｂ））。面ファスナー５６，５７としては、既存の種々のフック、ループ等の結合体を使用できる。
【００１６】
シート本体５１、カバーシート５５にはメッシュシートが用いられている。メッシュシートとしては、ポリエステル繊維織物の表面を塩化ビニル樹脂で被覆した通風性を有する織物シートが使用されている。シート本体５１は、上述したように所定の展開形状に切り出された後、各辺に沿って保形部材を保持するようにシートの周辺が帯袋状に縫着、補強されて旗状部となる（図２各図）。本実施形態では、シート本体５１から構成される旗状部は、長さＬ＝１，０００〜１，５００ｍｍ程度、幅Ｆ＝１５０〜３００ｍｍに設定されている。シート本体５１、カバーシート５５の素材としては、メッシュシート状の織物の他、所定厚さのポリエステル長繊維不織布等を用いることもできる。
【００１７】
設置状態における旗状部の形状保持のために、シート本体５１の周辺には保形部材としての細径パイプ６０が取り付けられている。このため、風等が強く吹いた場合にも翻って長方形状が崩れたりすることがない。本実施の形態では、保形部材としてパイプ径８ｍｍの塩化ビニルパイプが使用されている。細径パイプ６０は、Ｕ字形に曲げ加工された長さの異なる２本のパイプ６０ａ、６０ｂからなり、それらの両端部を向かい合わせて全体形状がロ字形をなし、全長が旗状部の長さＬに合致するように、接合部６１で接合されている。保形部材には、細径パイプ以外にガラス繊維補強（ＦＲＰ）棒材などの中実棒材等でもよい。材質としては、塩化ビニル以外にＦＲＰ、アルミニウム、ステンレス鋼等を用いることができる。
【００１８】
さらに、這い上がり防止装置５０全体を索条体としての支線１に沿うように連結保持する４個の連結フック２０がシート本体５１の長手方向に沿ってほぼ等間隔距離をあけて取り付けられている（図１）。連結フック２０は、Ｓ字形状をなすステンレス金具からなり、図２（ａ）に示したように、一端をシート本体５１に形成されたスリット等の取付部５３にＣ形リング等の固定具５４を介して係止し、他端を支線１に係止することで、這い上がり防止装置５０全体と支線１との連結が保持される。連結フック２０としては、ステンレス金具以外に、合成樹脂、布織物、革バンド等各種材料を使用できる。また、連結フック２０をシート本体５１に取り付けるための取付部５３，固定具５４は、スリット、Ｃ形リング以外に好適な形状、固定手段であれば、どのようなものも採用できる。
【００１９】
連結フック２０で支線１に沿うように連結された這い上がり防止装置５０は、図１（ａ）に示したように、全体形状として複数の直線部が屈曲して多角の螺旋状をなす索条体用取付保持具１０で支線１に容易に取り付けられ、固定保持され、最終的にカバーシート５５で覆われた状態で供用される（図１（ｂ））。
【００２０】
以下、這い上がり防止装置を電柱の支線１に固定保持する索条体用取付保持具１０の構成について、図３各図、図４各図を参照して説明する。図３（ａ）は、電柱の支線１（以下、支線ワイヤ１と記す。）などによく用いられる鋼撚り線ワイヤロープに、本発明の索条体用取付保持具１０（以下、取付保持コイル１０と記す。）を絡めた状態を拡大して示している。図３（ｂ）は取付保持コイル１０のコイル部１５（後述する。）の端面図である。図４各図のうち、図４（ｂ）は、取付保持コイル１０の各折り曲げ位置（（０）−（８））で曲げ加工された線材の各部の折れ曲げ形状を端面視した形状を示している。
【００２１】
取付保持コイル１０は、図３（ａ）に示したように、所定長さ、線径のバネ性を有する金属線材を曲げ加工してなる加工線材で、全体形状として、Ｕ字形フック１１ａが形成された両端の係止部１１と、多角の螺旋形状をなすように曲げ加工されたコイル部１５とから構成されている。係止部１１は、固体対象の支線ワイヤ１のワイヤ径より大きい幅のＵ字形フック１１ａを形成するように曲げ加工されている。このＵ字形フック１１ａを介して図示した取付保持コイル１０の端部が支線ワイヤ１に係止され、仮に保持される。なお、取付保持コイル１０は、図２（ａ）に示したように、這い上がり防止装置５０の上端辺近傍に形成された取付孔５２に係止部１１の一部を挿通して加締めして這い上がり防止装置５０に堅固に取り付けられる。
【００２２】
コイル部１５は、長さ方向の所定長さ間隔位置で、各辺が端面視して略正三角形状となるように、バネ線材を曲げ加工して形成された連続した多角の螺旋形状からなる。コイル部１５の加工形状について図３（ａ）、（ｂ）、図４（（ａ）（正面図）、（ｂ−１）（ｂ−２）（側面図）、（ｃ）各折り曲げ位置の部分端面図、（ｄ）（平面図））を参照して説明する。コイル部１５は図３（ａ）、図４（ｄ）に示した符号（０）−（８）間の部位からなり、そのうち（１）−（７）間において、線長Ｂの辺が連続するように曲げ角度θで曲げ加工され、図３（ｂ）、図４（ｃ）各図に示したように、端面視して反時計回りに各辺が連続して折れ曲がって略正三角形状をなす、長手方向に多角の螺旋形状となる。なお、図４（ｄ）中に示した曲げ角度α、β、γ、δ、θは、各折り曲げ位置（０）−（８）で隣り合う辺を平置きしたときに２辺のなす角度である。本実施形態において、各曲げ角度は一例としておよそα＝６０°、β＝１４５°、γ＝１２０°、δ＝４５°、θ＝１６０°に設定されている。これらの角度は、長手方向に対する螺旋の捩れの度合いで適宜設定される。また、線材の各線長Ａ，Ｂ，Ｃも図３（ａ）、（ｂ）に示したように、略正三角形のコイル部１５に内接する支線ワイヤ１の線径に応じて設定することが好ましい。本実施形態では、取付保持コイル１０を構成するバネ線材としてステンレス鋼線材（ＪＩＳ規格  ＳＵＳ３０４ＷＰＢ）が使用されている。このステンレス鋼線材は適度なバネ性と優れた耐食性を備え、本発明の取付保持コイル１０の素材として好適である。同等のバネ性能を有する線材であれば他の各種の金属素材を使用することができる。
【００２３】
ここで、図４各図に示した加工形状からなる取付保持コイル１０を支線ワイヤ１に取り付けた際の支線ワイヤ１への取付保持コイル１０の固定状態について、図３（ａ）、（ｂ）を参照して説明する。取付保持コイル１０を支線ワイヤ１に固定するには、まず取付保持コイル１０の一方の係止部１１のＵ字形フック１１ａを支線ワイヤ１に係止し、取付保持コイル１０の端部を仮に固定保持させる。その状態からコイル部１５を撓めるように弾性変形させながら符号（１）の部位を支線ワイヤ１に絡め、以後時計回りに符号（２）−（７）の部分を順次撓めながら支線ワイヤ１に巻き付ける。最後に他端の係止部１１を支線ワイヤ１に係止させる。このとき、図３（ｂ）に示したように、符号（１），（３），（６）、符号（２），（５）、符号（４），（７）の各部位が、おおよそ略正三角形の各頂点をなすように位置する。そのときの各辺は各頂点位置で折り曲げられた長手方向に連続する多角の螺旋状をなす。取付保持コイル１０はバネ線材からなるため、支線ワイヤ１の線径が端面視した三角形の内接直径とほぼ同等あるいは大きい場合、支線ワイヤ１に巻き付けられた際、弾性変形しながら支線ワイヤ１に巻き付けられる。そのため、初期状態の三角形状に回復するようにバネ効果が発揮されている。これにより各区間の辺の一部が支線ワイヤ１に密着し、支線ワイヤ１を強く締め付ける。この締め付け力により取付保持コイル１０は支線ワイヤ１に堅固に固定保持される。よって、たとえば図１に示したように、この取付保持コイル１０によって支線ワイヤ１に取り付けられた這い上がり防止装置５０は、確実に支線ワイヤ１に固定保持される。なお、支線ワイヤ１の線径が三角形の内接直径より大きい場合には、線材の各辺は弾性変形範囲内で大きく撓んで支線ワイヤ１に密着する。このときのバネ効果はより大きくなり、両者間により大きな固定保持効果が得られる。
【００２４】
ここで、本発明の多角の螺旋形状をなす取付保持コイル１０の支線ワイヤ１の締め付け保持作用について、通常の曲線螺旋形状からなるコイル材４０の保持作用との差違について、図３（ｃ）、（ｄ）を参考例として示して説明する。図３（ｃ）に示した曲線螺旋形状のコイル材４０はコイル内径φｃが一定な滑らかな螺旋形状をなす。このような形状では、支線ワイヤ１の線径がコイル内径より太い場合、すなわちφｗ＞φｃであれば、コイル内径が拡径されて支線ワイヤ１の外周に密着して締め付け効果が発揮できるが、図３（ｄ）に示したように、支線ワイヤ１の線径とコイル内径とが同等あるいは支線ワイヤ１がコイル内径より細く、一部でも隙間があると、締め付け効果がまったく得られない。
【００２５】
一方、本発明の多角の螺旋形状のコイルでは、コイル部１５の折り曲げ位置間の各辺を弾性変形させながら、支線ワイヤ１に絡めるように巻き付けていくため、細い支線ワイヤ１の場合にも複数箇所の辺において、取付保持コイル１０と支線ワイヤ１の外周面の一部とが密着する。取付保持コイル１０の初期形状に戻ろうとするバネ効果により、この密着部分に締め付け力が生じ、この締め付け力によって取付保持コイル１０を支線ワイヤ１に固定保持させることができる。
【００２６】
以上の説明では、出願人がすでに開発した這い上がり防止装置５０を、電柱を支持する支線１（支線ワイヤ１）に確実に固定支持させる適用例（図１）について説明したが、この索条体用取付保持具１０（取付保持コイル１０）は、各所に張設されたワイヤ、ロープ等の索条体に取り付けて保持させたい対象物、たとえば本実施形態の形態に類似する旗類、掲示物、軽量の物品等を簡単に取り付け保持させるために使用できることは言うまでもない。また対象物の重量に応じて取付保持コイル１０の索条体への取り付け本数等を適切に設定することも同様である。
【００２７】
本発明は上述した実施形態に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００２８】
１  支線（支線ワイヤ）
１０  索条体用取付保持具（取付保持コイル）
１１  係止部
１５  コイル部
２０  連結フック
５０  這い上がり防止装置
【図１】
2020016009.tif 000003
【図２】
2020016009.tif 000004
【図３】
2020016009.tif 000005
【図４】
2020016009.tif 000006